(57)【要約】      （修正有）【課題】太った人、妊婦、老人、又は身体障害者など、屈むことが困難な人が独りで靴下を履く場合の補助具を提供する。【解決手段】補助具は本体部２と持ち手部３から成り、本体部２は丸めることが出来る薄いプラスチック等のシートを材質とし、底面には摩擦係数の高い滑り止めテープ４を貼着し、丸めた状態で靴下５を本体部２に装着し、丸めた本体部２の空間６に足を挿入して持ち手部３を引いて本体部２を抜き取ることで靴下５を着用する。【選択図】図３
2015019836.tif 000002
【特許請求の範囲】
【請求項１】
太った人、妊婦、老人、又は身体障害者など、屈むことが困難な人が独りで靴下を履く場合の補助具であって、該補助具は本体部と持ち手部から成り、本体部は丸めることが出来る薄いプラスチック等のシートを材質とし、底面には摩擦係数の高い滑り止めテープを貼着し、丸めた状態で靴下を本体部に装着し、丸めた本体部の空間に足を挿入し、持ち手部を引いて本体部を抜き取ることで靴下を着用することが出来るようにしたことを特徴とする靴下を履く場合の補助具。
【請求項２】
上記本体部の底面には滑り止めテープの代わりに、該底面の摩擦係数が高くなるように粗くした請求項１記載の靴下を履く場合の補助具。
【請求項３】
上記持ち手部を本体部に連続して設けた請求項１、又は請求項２記載の靴下を履く場合の補助具。
【請求項４】
上記持ち手部をプラスチック製のバー材とし、この持ち手部を本体部に取付けた請求項１、又は請求項２記載の靴下を履く場合の補助具。
【発明の詳細な説明】
【技術分野】
【０００１】
本発明は身体の太った人や妊婦などが靴下を独りで履くことが出来るようにする補助具に関するものである。
【背景技術】
【０００２】
靴下を履く場合太った人は履きにくく、特に屈むことが困難な妊婦、膝痛・腰痛の患者、高齢者、片手しか使用できない身体障害者或いは肥満者等は、靴下を一人で履くことが困難となっていることが多い。そこで、家族の者に手伝ってもらって靴下を履いているが、このような者が一人で靴下を履くことが出来るようにした補助具も色々と知られている。
【０００３】
例えば、実用新案登録第３１５０５６３号に係る「靴下履き補助具」は、靴下を履く時、足を縮めたり、伸ばしたり、腰を深く曲げたりせずに着用することが出来る補助具である。
そこで、コの字型に形成した靴下引っ掛け側板部と足載底部からなる本体台板と、当該本体台板と回動自在に接続された長尺状の保持取手からなり、靴下引掛け側板部には、靴下が抜けないように段差、靴下引掛け側板部と足載底部の間には、靴下の基部を引っ掛けるための引っ掛け溝部を設け、靴下を履くときは、予め靴下をひっくり返して引っ掛け側板部に装填し、保持取手を持ちながら、当該空間に足を挿入することにより靴下を履くことが出来る。
【０００４】
実用新案登録第３１４１７８０号に係る「靴下装着補助具」は、転倒防止靴下や下肢の静脈瘤症治療用の靴下は締め付ける力を強める必要から履き口が狭く履き難い。特に高齢者等は力が弱く運動機能の低下もあって装着に困難が大きい。このようなニーズに対応した靴下装着補助具である。
本考案は柔軟な１枚の布にポケットを２個設け、ポケットに手の指を入れてポケット間の間隔を狭めることにより布を筒状に形成し、前記ポケットに入れた手の指をガイドに布を靴下内に挿入するものである。
【０００５】
特開２００７−２９２３９号に係る「下半身下着や靴下等の装着補助具」は、下半身下着や靴下等、装着補助具に取り付けられるものの大きさが異なっても、装着される箇所をその大きさに合わせて自由に変えることのできる下半身下着や靴下等の装着補助具を提供することにより、腰を深く曲げることのできない人でも簡単に下半身下着等を履くことができる。
そこで、この発明は短尺な弧状部材一端部に孔を設け、該弧状部材同志を、該孔に挿着される結合金具により回動自在に枢着し、一方の弧状部材の表面に長尺の棒状部材を固定した下半身下着や靴下等の装着補助具である。
【０００６】
【特許文献１】実用新案登録第３１５０５６３号に係る「靴下履き補助具」
【特許文献２】実用新案登録第３１４１７８０号に係る「靴下装着補助具」
【特許文献３】特開２００７−２９２３９号に係る「下半身下着や靴下等の装着補助具」
【発明の開示】
【発明が解決しようとする課題】
【０００７】
このように、靴下を履く際の補助具は色々知られている。しかし、従来の靴下着用補助具は使い難く、また構造が煩雑であり、その為に製作コストも嵩むことになる。本発明が解決しようとする課題はこの問題点であり、使い易くて製作コストの安い靴下を履く場合の補助具を提供する。
【課題を解決するための手段】
【０００８】
本発明に係る靴下を履く場合の補助具は、薄くて湾曲可能なプラスチック等のシートを材質とし、本体部と持ち手部を有している。ここで、本体部の横幅は一般に足に巻き付けることが出来る寸法とし、縦方向の長さは靴下の長さとしている。そして、持ち手部は本体部から細長く延び、手で握り易い幅と長さ寸法としている。
【０００９】
そして、本体部の下面（底面）には摩擦係数の高い材質から成る滑り止めテープを貼着している。又は本体部の下面（底面）を滑りにくい面として構成することも可能である。上記持ち手部は本体部と同じ材質のプラスチックシートで構成する場合、又は細いバー材を本体部に取付けることも可能である。
【発明の効果】
【００１０】
本発明に係る靴下を履く場合の補助具は薄いプラスチック等のシートで構成し、この補助具を丸めて靴下を装着し、すなわち、靴下の中に丸めた補助具の本体部を挿入し、そして丸まった本体内部空間に足を挿入し、この状態で持ち手部を握って本体部を足から引抜くならば、靴下は足に着用される。
従って、この補助具を使用することで腰を屈めることなく靴下を履くことが出来る為に、太った人、妊婦、身体障害者、及び老人にとって靴下の着用は人の手を煩わすことなく独りで着用できる。
【００１１】
そして、本体部の下面は摩擦係数が高く成っており、又は摩擦係数の高い滑り止めテープが貼着されていることで、丸めた本体部が靴下内部に挿入した場合、該靴下は回転して位置が変わることなく、所定の向きにセットした靴下は本体部を引抜くことで足に正しく着用される。一方、本発明の補助具はプラスチック等のシートを所定の形状に裁断した簡単なもので、その製作コストは安く、使い易い補助具となる。
【図面の簡単な説明】
【００１２】
【図１】本発明に係る靴下を履く際の補助具を示す実施例で、平面図を表している。
【図２】本発明に係る靴下を履く際の補助具を示す実施例で、底面図を表している。
【図３】丸めた本体部に靴下を装着した場合。
【図４】本発明に係る靴下を履く際の補助具を示す実施例で、平面図を表している。
【図５】本発明に係る靴下を履く際の補助具を示す実施例で、（ａ）は平面図、（ｂ）は正面図を表している。
【発明を実施するための形態】
【００１３】
図１、図２は本発明に係る靴下を履く場合の補助具（以下、補助具１という）を示す実施例であり、図１は平面図、図２は底面図をそれぞれ表している。この補助具１は湾曲自在な薄いプラスチックシートで構成し、本体部２と持ち手部３を有している。本体部２は概略長方形で各コーナー部は丸みを形成し、幅寸法はＭ、長さ寸法（縦寸法）はＬとしている。
【００１４】
そして、持ち手部３は本体部２に比較して細長い長方形を成し、該本体部２から連続して延びている。勿論、製作に当たってはプラスチックシートを所定の形状に裁断する為に、材料の歩留まりを向上する為には、本体部２と持ち手部３を別々に裁断し、後で本体部２に持ち手部３を接着剤などで接続・固定することも可能である。接着剤でなく溶着することも出来る。
【００１５】
ところで、上記本体部２の幅寸法Ｍは足をほぼ巻き付けることが出来る大きさとし、また長さ寸法Ｌは着用する靴下の長さより幾分長い大きさとしている。そして、図２に示すように、本体部２の底面には２本の細長い滑り止めテープ４，４が両側に貼着されている。この滑り止めテープ４，４は摩擦係数の高い材質から成るテープであり、例えばゴムテープを使用することが出来る。
【００１６】
滑り止めテープ４は何も底面の両側に貼着する場合に限らず、ほぼ全面に貼着することも可能であり、又はプラスチックシートで構成している本体部２の底面に摩擦係数の高い材質を直接塗装したり、底面に積層する場合もある。要するに本体部２の底面一部又は全面は高い摩擦を有す面として構成している。
【００１７】
図３は補助具の本体部２に靴下を装着した場合であり、（ａ）は正面図、（ｂ）は（ａ）のＡ−Ａ断面拡大図を示している。薄いプラスチックシートで構成している本体部２は丸めて筒状とし、この筒状の本体部２に靴下５を装着する。筒状に丸まった本体部２はその弾性によって外径が拡張し、筒は大きく成ろうとするが、装着した靴下５にて阻止される為に適度な大きさの筒と成って、内部には空間６が形成される。
【００１８】
そして、装着した靴下５は本体部２の底面に貼着した滑り止めテープ４，４に密着することで滑り動くことなく所定の位置に止着される。ところで、丸まった本体部２の空間６に足を挿入し、足の指先を靴下５の先端部７まで入れた状態で、持ち手部３を握って引抜くならば、靴下５は足に着用される。ここで、持ち手部３が延びる位置に靴下５の底が位置するように丸まった本体部２に靴下５を装着し、空間６には踵を持ち手部３に沿って足を挿入するならば、靴下５を足に正しく着用出来る。
【００１９】
丸まった本体部２を引抜く場合、滑り止めテープ４，４は靴下５と摩擦接触して靴下５を引っ張ることになるが、その為に摩擦係数は表面に比べてある程度高ければよい。摩擦が非常に高くなると、本体部２を引抜く際の滑り接触にて靴下５の内面が損傷し、短期間で破れてしまう虞がある。その為にも装着した靴下が位置ズレしない摩擦があれば十分である。
【００２０】
ところで、本体部２を丸めて靴下５を装着する際に身体を屈める必要はなく、そして、靴下５を装着した丸まった本体部２の空間６に足を挿入する場合には、持ち手部３を握って行うことが出来、さらに空間６に足を入れて本体部２を抜き取る場合も持ち手部３を握って引くことが出来る。従って、太った人や妊婦、又は身体障害者であって、身体を屈めることが出来ない人であっても、本発明の補助具１を使うことで靴下の着用を独りで行うことが可能となる。
【００２１】
図４は本発明に係る補助具を示す他の実施例である。この補助具８は本体部９から持ち手部１０にかけて滑らかに連続した形状としている。勿論、材質は薄いプラスチックシートで構成されていて、本体部９は湾曲して筒状に丸めることが出来る。そして、本体部９の各コーナー部は角張らないように丸くしており、これは靴下を装着する際に、本体部２のコーナーに引っ掛らない為である。
【００２２】
図５は本発明の更なる別実施例である。この補助具１１の場合も、本体部１２と持ち手部１３を有し、該本体部１２は前記実施例の場合と同じく薄いプラスチックシートを材質とし、ただし、持ち手部１３はシートではなくプラスチック製のバー材を使用している。持ち手部１３の基部を切込み、この切込み溝に本体部１２を差し込んでピン１４にて連結している。ただし、ピン止めでなく接着することも出来る。
【符号の説明】
【００２３】
１   補助具
２   本体部
３   持ち手部
４   滑り止めテープ
５   靴下
６   空間
７   先端部
８   補助具
９   本体部
10   持ち手部
11   補助具
12   本体部
13   持ち手部
【図１】
2015019836.tif 000003
【図２】
2015019836.tif 000004
【図３】
2015019836.tif 000005
【図４】
2015019836.tif 000006
【図５】
2015019836.tif 000007